(57)【要約】【課題】  放射線検出カセッテに蓄積された画像の検査実施方法が確立された放射線撮影システム、検査オーダの管理方法及びプログラムを提供することを目的とする。【解決手段】  本発明の放射線撮影装置は、放射線を検出することにより放射線画像を撮影する検出装置から、前記放射線画像に関する情報を取得する情報取得手段と、前記情報に基づいて、前記検出装置に蓄積された未転送の前記放射線画像の転送を要求する転送要求信号を前記検出装置に送信する転送要求手段と、前記検出装置から前記放射線画像を取得する画像取得手段と、を備える。【選択図】図１
2018075194.tif 000002
【特許請求の範囲】
【請求項１】
放射線を検出することにより放射線画像を撮影する検出装置から、前記放射線画像に関する情報を取得する情報取得手段と、
前記情報に基づいて、前記検出装置に蓄積された未転送の前記放射線画像の転送を要求する転送要求信号を前記検出装置に送信する転送要求手段と、
前記検出装置から前記放射線画像を取得する画像取得手段と、
を備えることを特徴とする放射線撮影装置。
【請求項２】
前記情報取得手段は、前記放射線画像の画像ＩＤ、撮影日、撮影時間、転送の完了、転送の未了、転送数、未転送数、転送日、及び転送時間の少なくとも１つの情報を、前記情報として取得することを特徴とする請求項１に記載の放射線撮影装置。
【請求項３】
前記情報取得手段は、未転送の前記放射線画像の数を前記情報として取得し、表示手段に表示させることを特徴とする請求項１に記載の放射線撮影装置。
【請求項４】
前記検出装置との通信接続を検知する接続検知手段を備え、
前記情報取得手段は、前記接続検知手段が前記検出装置との通信接続を検知したときに、前記情報を取得することを特徴とする請求項１乃至３の何れか１項に記載の放射線撮影装置。
【請求項５】
前記検出装置との通信接続を検知する接続検知手段と、
前記情報を表示する表示手段と、を備え、
前記表示手段は、前記接続検知手段が前記検出装置との通信接続を検知した順に、前記情報を優先的な順序で表示することを特徴とする請求項１乃至４の何れか１項に記載の放射線撮影装置。
【請求項６】
前記情報を表示する表示手段を備え、
前記表示手段は、未転送の前記放射線画像の前記情報を、転送済みの前記放射線画像の前記情報よりも優先的な順序で表示することを特徴とする請求項１乃至４の何れか１項に記載の放射線撮影装置。
【請求項７】
前記情報を表示する表示手段を備え、
前記表示手段は、未転送の前記放射線画像の前記情報を、転送済みの前記放射線画像の前記情報と異なる表示形態で表示し、
前記転送要求手段は、未転送の前記放射線画像の前記情報の前記表示形態が操作されることにより、前記転送要求信号を前記検出装置に送信することを特徴とする請求項１乃至６の何れか１項に記載の放射線撮影装置。
【請求項８】
未転送の前記放射線画像の転送順序を指定する指定手段を備えることを特徴とする請求項１乃至７の何れか１項に記載の放射線撮影装置。
【請求項９】
放射線撮影の被検体に関する被検体情報、前記放射線撮影に関する撮影情報、前記検出装置に関する検出装置情報、及び前記放射線画像に関する情報の少なくとも１つを、前記放射線画像に付帯する付帯情報として前記検出装置から取得し、前記付帯情報のうち、前記放射線撮影の検査依頼に関する検査オーダに関連する関連情報に基づいて、前記放射線画像と前記検査オーダとを関連付けた検査情報を生成する検査生成手段を備えることを特徴とする請求項１乃至８の何れか１項に記載の放射線撮影装置。
【請求項１０】
前記付帯情報に基づいて、前記放射線画像と前記検査オーダとを関連付ける前記関連情報を入力する入力手段を備え、
前記検査生成手段は、入力された前記関連情報に基づいて、前記検査情報を生成することを特徴とする請求項９に記載の放射線撮影装置。
【請求項１１】
前記付帯情報は、前記被検体情報、前記撮影情報、前記検出装置情報、及び前記情報の少なくとも１つの区切りに応じて、前記区切りごとに前記放射線画像に付帯することを特徴とする請求項１０に記載の放射線撮影装置。
【請求項１２】
前記放射線撮影による検査依頼に関する検査オーダ、放射線撮影の被検体に関する被検体情報、及び前記放射線撮影に関する撮影情報の少なくとも１つを、前記検査オーダに関連する関連情報として前記検出装置に送信する情報送信手段と、
前記関連情報に基づいて、前記放射線画像と前記検査オーダとを関連付けた検査情報を生成する検査生成手段と、
を備えることを特徴とする請求項１乃至１１の何れか１項に記載の放射線撮影装置。
【請求項１３】
前記情報取得手段は、未転送の前記放射線画像の数に対応する検査数を、前記付帯情報として表示手段に表示させることを特徴とする請求項１２に記載の放射線撮影装置。
【請求項１４】
放射線を発生させる放射線発生手段と、
前記放射線を検出することにより放射線画像を撮影する検出手段と、
前記検出手段から、前記放射線画像に関する情報を取得する情報取得手段と、
前記情報に基づいて、前記検出手段に蓄積された未転送の前記放射線画像の転送を要求する転送要求信号を前記検出手段に送信する転送要求手段と、
前記検出手段から前記放射線画像を取得する画像取得手段と、
を備えることを特徴とする放射線撮影システム。
【請求項１５】
放射線を検出することにより放射線画像を撮影する検出装置から、前記放射線画像に関する情報を取得する工程と、
前記情報に基づいて、前記検出装置に蓄積された未転送の前記放射線画像の転送を要求する転送要求信号を前記検出装置に送信する工程と、
前記検出装置から前記放射線画像を取得する工程と、
を備えることを特徴とする放射線撮影方法。
【請求項１６】
コンピュータを請求項１乃至１３の何れか１項に記載の放射線撮影装置の各手段として機能させるためのプログラム。
【発明の詳細な説明】
【技術分野】
【０００１】
本発明は、放射線撮影装置、放射線撮影システム、放射線撮影方法、及びプログラムに関する。
【背景技術】
【０００２】
対象物を透過した放射線（例えば、Ｘ線）の強度分布を検出して対象物の放射線画像を撮影する放射線検出カセッテを利用した放射線撮影装置が知られている。このような放射線撮影装置は、医療分野や産業分野などで主に利用されている。近年では、対象物（被写体）を透過した放射線を電気信号に変換し、放射線画像をデジタルデータとして取得する技術も広く採用されている。
【０００３】
特許文献１では、放射線検出カセッテとホストコンピュータの間の通信を行う方法が提案されている。
【先行技術文献】
【特許文献】
【０００４】
【特許文献１】特開２００９−５３６６１号公報
【発明の概要】
【発明が解決しようとする課題】
【０００５】
近年では、大容量メモリを備え、撮影した放射線画像を大容量メモリに蓄積可能な放射線検出カセッテが開発されている。この場合、放射線撮影装置は、放射線検出カセッテに蓄積されている放射線画像を一括で取得する。
【０００６】
しかしながら、放射線検出カセッテの大容量メモリに蓄積された放射線画像を取得する場合、放射線画像の取得を放射線撮影装置側で詳細に制御できないという問題があった。
【０００７】
本発明は、上記の問題点に鑑み、放射線検出カセッテからの放射線画像の取得を詳細に制御することができる放射線撮影装置、放射線撮影システム、放射線撮影方法、及びプログラムを提供することを目的とする。
【課題を解決するための手段】
【０００８】
本発明の放射線撮影装置は、放射線を検出することにより放射線画像を撮影する検出装置から、前記放射線画像に関する情報を取得する情報取得手段と、前記情報に基づいて、前記検出装置に蓄積された未転送の前記放射線画像の転送を要求する転送要求信号を前記検出装置に送信する転送要求手段と、前記検出装置から前記放射線画像を取得する画像取得手段と、を備える。
【発明の効果】
【０００９】
本発明によれば、放射線画像に関する情報（付帯情報）を検出装置から取得することで、放射線撮影装置が放射線画像の取得を詳細に制御することができる。
【図面の簡単な説明】
【００１０】
【図１】第１の実施形態の放射線撮影システムの構成例を示す図である。
【図２】第１の実施形態の放射線撮影装置の構成例を示す図である。
【図３】第１の実施形態の放射線撮影システムの動作を示すフローチャートである。
【図４】第１の実施形態の放射線撮影システムの表示形態を示す図である。
【図５Ａ】第１の実施形態において未転送の放射線画像を転送要求する際の表示画面の一例を示す図である。
【図５Ｂ】未転送の放射線画像の転送中の表示画面の一例を示す図である。
【図６】第２の実施形態の放射線撮影システムの動作を示すフローチャートである。
【図７】第２の実施形態において未転送の放射線画像を転送要求する際の表示画面の一例を示す図である。
【図８】記憶部に保持される照合情報の一例を示す図である。
【発明を実施するための形態】
【００１１】
（第１の実施形態）
本発明の第１の実施形態について、図１を用いて説明する。図１は、第１の実施形態の放射線撮影システムの構成例を示す図である。図１に示すように、本実施形態の放射線撮影システムは、放射線撮影装置１と、検査の進捗を管理するＨＩＳ（Ｈｏｓｐｉｔａｌ Ｉｎｆｏｒｍａｔｉｏｎ Ｓｙｓｔｅｍ）１１とを備える。
【００１２】
また、本実施形態の放射線撮影システムは、検査オーダを放射線撮影装置１に伝達するＲＩＳ（Ｒａｄｉｏｌｏｇｙ Ｉｎｆｏｒｍａｔｉｏｎ Ｓｙｓｔｅｍ）１２を備える。さらに、本実施形態の放射線撮影システムは、放射線画像を管理するＰＡＣＳ（Ｐｉｃｔｕｒｅ Ａｒｃｈｉｖｉｎｇ ａｎｄ Ｃｏｍｍｕｎｉｃａｔｉｏｎ Ｓｙｓｔｅｍｓ）１３と、放射線画像をプリント出力するプリンタ１４とが接続されている。
【００１３】
ＨＩＳ１１は、病院管理システムであり、会計情報を管理するサーバを含んでいる。放射線撮影を行う場合、操作者は、ＨＩＳ１１の端末（入力部）より検査指示を入力する。そして、ＨＩＳ１１は、放射線撮影の依頼先である病院の放射線部門に依頼情報を伝達する。この依頼情報を検査オーダという。検査オーダには、依頼元の部門名、検査ＩＤ、検査項目、及び被検者（被検体）に関する患者情報（被検体情報）などが含まれる。
【００１４】
放射線部門は、ＲＩＳ１２が検査オーダを受信すると、放射線撮影に関する撮影情報（検査項目の識別情報（検査ＩＤ）、撮影部位情報、撮影方向情報、及び手技情報など）を検査オーダに付加し、放射線撮影装置１へ伝達する。放射線撮影装置１は、受信した検査オーダに従って、放射線撮影を実施する。放射線撮影装置１は、撮影された放射線画像を取得し、放射線画像と検査オーダとを関連付けた検査情報を生成して、放射線画像とともに出力する。
【００１５】
ＰＡＣＳ１３は、画像管理を主目的としたサーバである。ＰＡＣＳ１３と接続された高精細モニタによって、放射線画像の検像作業や詳細な後処理や診断作業が実施される。このように、放射線撮影装置１で取得された放射線画像は、ＰＡＣＳ１３へ伝達される。
【００１６】
また、放射線撮影装置１における検査の実施情報（画像ＩＤ及び撮影日時など）は、ＨＩＳ１１へ伝達される。ＨＩＳ１１へ伝達された実施情報は、検査の進捗管理以外に、検査後の会計処理にも用いられる。
【００１７】
放射線撮影装置１、ＨＩＳ１１、ＲＩＳ１２、ＰＡＣＳ１３、及びプリンタ１４の間は、例えば、ＬＡＮ（Ｌｏｃａｌ Ａｒｅａ Ｎｅｔｗｏｒｋ）やＷＡＮ（Ｗｉｄｅ Ａｒｅａ Ｎｅｔｗｏｒｋ）などで構成されるネットワーク１５を介して接続される。
【００１８】
なお、これらの各装置には、１つ又は複数のコンピュータが含まれる。コンピュータには、例えば、ＣＰＵなどの主制御手段、ＲＯＭ（Ｒｅａｄ Ｏｎｌｙ Ｍｅｍｏｒｙ）やＲＡＭ（Ｒａｎｄｏｍ Ａｃｃｅｓｓ Ｍｅｍｏｒｙ）などの記憶手段が備えられている。また、コンピュータには、ネットワークカードなどの通信手段、キーボード、ディスプレイ、及びタッチパネルなどの入出力手段などが備えられていてもよい。これらの各構成手段は、バスなどにより電気的に接続され、主制御手段が記憶手段に記憶されたプログラムを実行することにより制御される。
【００１９】
図１に示すように、撮影室１００には、放射線撮影を行う放射線撮影装置１が設置されている。また、撮影室１００には、放射線を発生させる放射線発生装置４と、被検者１０を透過した放射線を検出することにより放射線画像を撮影する検出装置７と、撮影台１６とが設置されている。
【００２０】
放射線撮影装置１は、放射線画像や各種情報を表示する表示部２と、操作者が操作を行う操作部３と、各構成要素を制御する制御部５とを備えている。
【００２１】
放射線発生装置４は、放射線発生部８における放射線の撮影条件を設定して、放射線発生部８を制御する。放射線発生部８は、放射線を発生する放射線源として機能する。放射線発生部８は、例えば、放射線管球により実現され、被検者１０（例えば、被検者の特定部位）に向けて放射線を照射する。
【００２２】
放射線発生部８は、所望の照射範囲に放射線を照射することができる。放射線発生部８の照射面には、放射線を遮蔽する絞り（図示しない）が設置されている。操作者は、放射線を遮蔽する絞りを制御することにより、放射線発生部８から照射される放射線の照射範囲を調整することができる。
【００２３】
放射線撮影システムは、放射線発生部８から照射される放射線を検出する検出装置７を備えている。検出装置７は、被検者１０を透過した放射線を検出し、放射線に応じた画像データを出力するものである。なお、画像データは、放射線画像と言い換えられる。
【００２４】
具体的には、検出装置７は、被検者１０を透過した放射線を、透過放射線量に相当する電荷として検出する。例えば、検出装置７には、放射線を電荷に変換するａ−Ｓｅなどの放射線を直接的に電荷に変換する直接変換型センサや、ＣｓＩなどのシンチレータとａ−Ｓｉなどの光電変換素子を用いた間接型センサが用いられる。
【００２５】
検出装置７は、持ち運びが可能なカセッテタイプの検出装置であり、放射線発生装置４とともに、検査を実施する撮影室１００へと運ばれる。被写体の大きさや撮影部位に応じて、サイズの異なる検出装置７ａ，７ｂを使い分けて、放射線撮影が実施される。
【００２６】
検出装置７は、検出された電荷をＡ／Ｄ変換することにより、画像データを生成して記憶部（図示しない）に蓄積する。検出装置７は、情報（画像ＩＤ、撮影日時、及び画像データの転送状況）を画像データに付与して、画像データとともに放射線撮影装置１へ転送可能である。
【００２７】
表示部２は、例えば、液晶ディスプレイなどで実現され、各種情報を操作者（例えば、撮影技師や医師など）に対して表示する。操作部３は、入力部２８及び指定部２９を備え、放射線撮影装置１における処理を操作する。操作部３は、例えば、マウスや操作ボタンなどで構成され、操作者からの各種指示を各構成要素に入力する。なお、表示部２と操作部３は、それらが一体となったタッチパネルとして実現されてもよい。
【００２８】
放射線撮影装置１の制御部５は、無線ＬＡＮを介して、検出装置７に接続されている。制御部５と検出装置７の間では、画像データや制御信号などが送受信される。すなわち、放射線撮影によって検出装置７に記憶された画像データは、無線ＬＡＮを介して制御部５へ出力（転送）される。
【００２９】
本発明の放射線撮影システムについて、図２を用いて詳細に説明する。放射線撮影装置１は、検出装置７から出力された放射線画像に対して画像処理を行ない、画像を生成する制御部５を備えている。制御部５は、コンピュータ上で動作するアプリケーション機能を有している。制御部５は、検出装置７の動作を制御するとともに、表示部２へ放射線画像を出力したり、グラフィカルユーザーインターフェース（ＧＵＩ）を出力したりする。
【００３０】
制御部５は、検出装置７との通信を行う通信部２０と、検出装置７の状態管理を行う管理部２１と、検出装置７から出力される放射線画像と、ＲＩＳなどの外部装置から出力される検査オーダなどの各種情報を記憶する記憶部２２とを備える。また、制御部５は、放射線画像と検査オーダとが関連付けられた検査情報を生成する検査生成部２３を備える。
【００３１】
通信部２０は、接続検知部３０、情報取得部３１、情報送信部３２、転送要求部３３、及び画像取得部３４を備える。
【００３２】
接続検知部３０は、放射線撮影装置１と検出装置７の通信接続及び通信切断を検知する。情報取得部３１は、検出装置７に記憶されている情報（放射線画像に関する情報）を受信する。情報取得部３１は、放射線を検出することにより放射線画像を撮影する検出装置７から、放射線画像に関する情報を取得する。
【００３３】
情報送信部３２は、患者情報（被検体情報）、検査の識別情報、撮影部位情報、撮影方向情報、及び手技情報など、放射線撮影に関する撮影情報を検出装置７へ送信可能である。検出装置７は、撮影情報を受信した場合、撮影情報に従って撮影された画像データとともに撮影情報を記憶する。また、検出装置７は、放射線撮影により撮影された放射線画像に関する情報を画像データとともに記憶する。
【００３４】
転送要求部３３は、検出装置７に蓄積された未転送の画像データの転送を要求する転送要求信号を検出装置７に送信する。画像取得部３４は、検出装置７から画像データを受信する。
【００３５】
管理部２１は、通信部２０で取得された情報を、検出装置７に関する検出装置情報（検出装置７の名称や電波状況など）とともに管理する。これらの情報は、表示部２において表示される。
【００３６】
検査生成部２３は、放射線画像と検査オーダとが関連付けられた検査情報を生成する。検査生成部２３は、放射線撮影の被検体に関する患者情報（被検体情報）、放射線撮影に関する撮影情報、検出装置に関する検出装置情報、及び放射線画像に関する情報の少なくとも１つを、放射線画像に付帯する付帯情報として検出装置７から取得する。検査生成部２３は、付帯情報のうち、放射線撮影の検査依頼に関する検査オーダに関連する関連情報に基づいて、放射線画像と検査オーダとを関連付けた検査情報を生成する。
【００３７】
検出装置７から受信された放射線画像に検査オーダに関連する関連情報（例えば、患者情報や撮影情報など）が付帯していれば、関連情報を用いて検査情報を生成する。検出装置７から受信された放射線画像に検査オーダに関する関連情報が付帯していなければ、操作部３が、放射線画像と検査オーダとを関連付ける関連情報を入力し、検査生成部２３が、関連情報を用いて検査情報を生成する。
【００３８】
この場合、入力部２８は、付帯情報に基づいて、放射線画像と検査オーダとを関連付ける関連情報を入力し、検査生成部２３は、入力された関連情報に基づいて、検査情報を生成する。例えば、入力部２８が、情報に基づいて、検査オーダに対応する画像ＩＤを入力することにより、放射線画像と検査オーダとを関連付けられ、検査情報が生成される。
【００３９】
記憶部２２は、検出装置７から出力される放射線画像と検査生成部２３で生成される検査情報とを記憶する。
【００４０】
図３は、本実施形態の放射線撮影システムの動作を示すフローチャートである。図４は、本発明の放射線撮影システムの表示部２の表示形態を示す。表示部２は、検出装置表示部１０１と、検査リスト１０３と、患者情報表示部１０４と、撮影情報表示部１０５と、撮影情報入力部１０６と、開始指示部１０７とを含む。
【００４１】
検出装置表示部１０１は、接続されている検出装置７の検出装置情報及び情報を表示する。検査リスト１０３は、検査ＩＤを含む検査オーダを一覧表示する。患者情報表示部１０４は、検査リスト１０３で指定された検査オーダの患者情報を表示する。撮影情報表示部１０５は、検査リスト１０３で指定された検査オーダに付加された撮影情報を表示する。撮影情報入力部１０６は、撮影情報を入力する。開始指示部１０７は、撮影情報に従った放射線撮影の開始を指示する（ステップＳ１１１）。
【００４２】
放射線発生装置４は、検出装置７に向けて放射線を照射し、検出装置７は、放射線を検出して画像データを生成する（ステップＳ１１２）。この場合、検出装置７は、放射線撮影装置１との通信接続がない状態で、画像データを生成し、検出装置情報及び情報を付帯情報として画像データに対応付けて記憶部に蓄積又は記憶する（ステップＳ１１３）。
【００４３】
接続検知部３０は、放射線撮影装置１と検出装置７との通信接続を検知する。情報取得部３１は、接続検知部３０が検出装置７との通信接続を検知したときに、放射線画像に関する情報を取得する（ステップＳ１１４）。管理部２１は、接続検知に応じて、情報取得部３１を介して検出装置７が記憶する情報を取得する。放射線画像に関する情報には、画像ＩＤ、撮影日時、及び画像データの転送状況（転送の完了／未了、転送数、未転送数、及び転送日時）などの情報が含まれる。
【００４４】
情報取得部３１は、放射線画像の画像ＩＤ、撮影日、撮影時間、転送の完了、転送の未了、転送数、未転送数、転送日、及び転送時間の少なくとも１つに関する情報を、放射線画像に関する情報として取得する。情報取得部３１は、未転送の放射線画像の数（枚数）を情報として取得し、表示部２に表示させる。管理部２１は、情報取得部３１が取得した情報から、未転送の画像枚数を計算する。
【００４５】
表示部２（検出装置表示部１０１）は、検出装置７の名称や電波状況などの検出装置情報とともに、未転送の放射線画像の数を表示する。このように、表示部２（検出装置表示部１０１）は、放射線画像に関する情報を表示する。図４では、検出装置Ａが２枚の画像データを未転送であり、検出装置Ｃが１枚の画像データを未転送であることが示されている。
【００４６】
複数の検出装置が放射線撮影装置１に接続される場合には、検出装置表示部１０１は、接続を検知した順に並べられる。図４は、検出装置Ａ、検出装置Ｂ、及び検出装置Ｃの順に、放射線撮影装置１との接続を検知し、検出装置表示部１０１ａ，１０１ｂ，１０１ｃが右から順に並んで表示される例である。このように、表示部２は、接続検知部３０が検出装置７との通信接続を検知した順に、情報を優先的な順序で表示する。
【００４７】
また、未転送の画像を保持する検出装置Ａ，Ｃの検出装置情報及び情報を表示する検出装置表示部１０１ａ，１０１ｃは、未転送の画像データの転送指示を実施するための操作部として機能する。例えば、検出装置表示部１０１ａ，１０１ｃは、ボタンとして表示され、触れることで画像データの転送指示を検出装置Ａ，Ｃに送信するための画面が表示される。
【００４８】
このように、表示部２は、未転送の放射線画像の情報を、転送済みの放射線画像の情報と異なる表示形態で表示し、転送要求部３３は、未転送の放射線画像の情報の表示形態が操作されることにより、転送要求信号を検出装置７に送信する。
【００４９】
一方、未転送の画像を保持しない検出装置Ｂの検出装置情報及び情報を表示する検出装置表示部１０１ｂは、転送指示操作ができない形態として表示され、例えば、触れても画像データの転送指示は実行されない。
【００５０】
また、未転送の画像を保持する検出装置Ａ，Ｃと保持しない検出装置Ｂを区別し、未転送の画像を保持する検出装置Ａ，Ｃを優先的に表示してもよい。例えば、検出装置Ａ，Ｃの情報などを表示する検出装置表示部１０１ａ，１０１ｃを、検出装置Ｂの情報などを表示する検出装置表示部１０１ｂに優先させて、検出装置表示部１０１ａ，１０１ｃ，１０１ｂの順に並べて表示してもよい。このように、表示部２は、未転送の放射線画像の情報を、転送済みの放射線画像の情報よりも優先的な順序で表示してもよい。
【００５１】
図５Ａは、検出装置表示部１０１ａから転送指示が実行された際の表示部２の画面を示す。検出装置情報表示部２０１には、転送指示された検出装置Ａの検出装置情報が表示される。検出装置情報は、検出装置の名称、モデル名、及びシリアル番号などを含む。また、検出装置情報表示部２０１には、検出装置Ａが保持している未転送の画像データの枚数が表示される。
【００５２】
情報表示部２０４には、検出装置７から受信した情報が一覧表示される。例えば、検出装置７により取得された放射線画像の画像ＩＤや撮影日時などの項目が表示される。
【００５３】
取得ボタン２０３が押下されると、通信部２０は、検出装置７に画像データの転送要求を送信する（ステップＳ１１５）。転送要求部３３は、情報に基づいて、検出装置７に蓄積された未転送の放射線画像の転送を要求する転送要求信号を検出装置７に送信する。検出装置７は、転送要求に応じて、蓄積されている画像データを、画像データに付帯する付帯情報（検査装置情報及び情報など）とともに出力し、通信部２０に送信する。検出装置７は、転送要求に応じて、未転送の画像データ及び付帯情報を一括して出力し、通信部２０に送信してもよい。
【００５４】
放射線撮影装置１が未転送の画像データ及び付帯情報を検出装置７から受信する（ステップＳ１１６）。画像取得部３４が、画像データ（放射線画像）を取得し、情報取得部３１が付帯情報を取得する。放射線撮影装置１が未転送の画像データ及び付帯情報を受信中、情報表示部２０４が、画像データの転送状況（転送の完了、転送の未了、画像データの転送枚数、画像データの未転送枚数、及び転送日時など）を表示する。
【００５５】
図５Ｂでは、転送の完了及び転送の未了が表示されている。画像データの転送が完了した画像データについて、転送完了を示すチェックが情報表示部２０４に付される。チェックが付されていない場合は、情報表示部２０４は転送の未了を表す。
【００５６】
全ての画像データの受信が完了すると、検査生成部２３は、受信した付帯情報を用いて検査情報を生成する（ステップＳ１１７）。検査生成部２３は、放射線撮影の被検体に関する患者情報（被検体情報）、放射線撮影に関する撮影情報、検出装置に関する検出装置情報、及び放射線画像に関する情報の少なくとも１つを、放射線画像に付帯する付帯情報として検出装置７から取得する。検査生成部２３は、付帯情報のうち、放射線撮影の検査依頼に関する検査オーダに関連する関連情報に基づいて、放射線画像と検査オーダとを関連付けた検査情報を生成する。
【００５７】
例えば、検出装置７の検出装置情報や情報が画像データに付帯するので、これらの情報が関連情報として用いられてもよい。また、検出装置７の検出装置情報や情報は、実施情報として用いられてもよい。
【００５８】
検査オーダに関する関連情報が画像データに付帯していない場合は、関連情報に対応する付帯情報が所定の規則に従って画像データに付帯される。例えば、検出装置７が、関連情報に対応する付帯情報（例えば、患者情報）として、番号を昇順に画像データに付帯する。また、検出装置７が、付帯情報を区切る区切りボタンを備え、区切りボタンが押下されると、付帯情報（例えば、患者情報）として、番号を画像データに付与し、次に区切りボタンが押下されるまで、同じ番号を付帯情報（患者情報）として画像データに付与する。
【００５９】
このように、付帯情報は、被検体情報、撮影情報、検出装置情報、及び情報の少なくとも１つの区切りに応じて、区切りごとに放射線画像に付帯してもよい。
【００６０】
操作部３が、関連情報に対応する付帯情報に基づいて、対応する関連情報を入力することにより、検査生成部２３が、関連情報を用いて検査情報を生成する。例えば、操作部３が、画像データに付与された番号（患者情報に対応する番号）に基づいて、対応する患者情報を入力する。この結果、番号と患者情報が対応付けられ、検査生成部２３が、患者情報に対応付けられた番号を用いて、放射線画像と検査オーダとを関連付けることで、検査情報を生成する。
【００６１】
記憶部２２は、検出装置７から出力される放射線画像と検査生成部２３で生成される検査情報とを記憶する。また、検査情報が生成される時点で、放射線撮影が既に実施されているため、検査ステータスを開始するために、ＨＩＳ１１やＲＩＳ１２に対して検査開始を通知する。例えば、表示部２の検査リスト１０３の検査の欄に「保留」が表示されることにより、検査開始の通知が実行される。戻るボタン２０２は、押下により本画面を閉じて前の画面（図４の画面）に戻るボタンである。
【００６２】
このように、検出装置側ではなく、放射線撮影装置側で未転送の画像データの枚数を表示させたり、未転送の画像データの転送指示を実行したり、未転送の画像データの転送状況を表示したり、検査オーダと画像データを関連付けたりすることができる。この結果、放射線撮影装置が放射線画像の取得を詳細に制御することができる。
【００６３】
（第２の実施形態）
本発明の放射線撮影システムの第２の実施形態について説明する。なお、上記の実施形態と同様の構成、機能、及び動作についての説明は省略し、主に本実施形態との差異について説明する。本実施形態の放射線撮影システムの構成は、第１の実施形態と同様であるため、説明を省略する。
【００６４】
第１の実施形態と異なる点は、検出装置７が放射線撮影装置１から関連情報を受信して、画像データに付帯させる点である。例えば、検出装置７は、放射線撮影の前に、放射線撮影装置１から関連情報（検査オーダ、患者情報、及び撮影情報など）を受信して、関連情報を用いて検査情報を生成する。
【００６５】
図６は、本実施形態の放射線撮影システムの動作を示すフローチャートである。制御部５は、放射線撮影の前に、これから実施する放射線撮影の検査オーダ、患者情報、及び撮影情報の少なくとも１つを、関連情報として検出装置７に出力する（ステップ３０１）。具体的には、情報送信部３２は、放射線撮影による検査依頼に関する検査オーダ、放射線撮影の被検体に関する患者情報（被検体情報）、及び放射線撮影に関する撮影情報の少なくとも１つを、検査オーダに関連する関連情報として検出装置７に送信する。
【００６６】
検査リスト１０３で指定された検査オーダ、検査リスト１０３で指定された検査オーダの患者情報、及び撮影情報表示部１０５に表示された撮影情報が、関連情報として、通信部２０から検出装置７へ出力される。出力される関連情報は、検査オーダ、患者情報、及び撮影情報そのものではなく、これらの関連情報を識別可能な識別情報であってもよい。この場合、関連情報の識別情報に基づいて、記憶部２２に保持される照合情報と照合することにより、関連情報が特定される。検出装置７は、画像データに付帯する付帯情報として、関連情報を一時的に記憶する。
【００６７】
放射線発生装置４は、検出装置７に向けて放射線を照射し、検出装置７は、放射線を検出して画像データを生成する（ステップＳ３０２）。
【００６８】
検出装置７は、受信した関連情報と画像データを対応付け、検出装置７の内部の記憶部（図示しない）に記憶する。検出装置７は、情報を画像データに対応付けて、検出装置７の内部の記憶部に記憶する（ステップＳ３０３）。
【００６９】
操作者は、放射線撮影装置１と検出装置７の通信接続を確立し、表示部２から画像データの転送要求を検出装置７に送信する。図７は、表示部２に表示される転送要求画面の一例である。情報表示部２０４には、検出装置７から受信した情報が一覧表示される。例えば、検出装置７により取得された放射線画像の画像ＩＤや撮影日時などの項目が表示される。また、検出装置７が受信した関連情報（検査オーダ、患者情報、及び撮影情報など）の項目が表示される。
【００７０】
検出装置情報表示部２０１には、検出装置Ｃが保持している未転送の画像データの枚数が表示される。また、検出装置情報表示部２０１には、検出装置Ｃが保持している未転送の画像データの枚数に対応する検査数を表示する。情報取得部３１が、未転送の放射線画像の数に対応する検査数を、付帯情報として表示部２（検出装置情報表示部２０１）に表示させる
【００７１】
順序変更ボタン２０５（指定部２９）を操作することで、情報表示部２０４の表示順序が変更される。取得ボタン２０３が押下されると、放射線撮影装置１は、情報表示部２０４の表示順序で、転送要求を検出装置７に送信する（ステップＳ３０４）。
【００７２】
このように、順序変更ボタン２０５（指定部２９）は、未転送の放射線画像の転送順序を指定する。また、情報表示部２０４に表示された情報をソートすることにより、指定部が未転送の放射線画像の転送順序を指定してもよい。
【００７３】
制御部５は、転送要求に応じて検出装置７が出力した画像データと付帯情報を受信する（ステップＳ３０５）。
【００７４】
検査生成部２３は、付帯情報を用いて検査情報を生成する（ステップＳ３０６）。本実施形態では、検査オーダ、患者情報、及び撮影情報の少なくとも１つが関連情報として検出装置７に送信されるので、関連情報が放射線画像に付帯している状態で、未転送の放射線画像が放射線撮影装置１に転送される。検査生成部２３は、放射線画像に付帯する付帯情報のうち、関連情報に基づいて、放射線画像と検査オーダとを関連付けた検査情報を生成する。
【００７５】
付帯情報には、各種情報（検査オーダ、患者情報、撮影情報、検出装置情報、及び情報など）又は各種情報を識別可能な識別情報が含まれる。放射線撮影装置１は、付帯情報の識別情報を受信する場合、記憶部２２に保持される照合情報と識別情報を照合することで、患者名などの各種情報を表示する。
【００７６】
例えば、図８に示すように、記憶部２２に保持される照合情報は、各種情報と識別情報を対応させるテーブルである。図８のテーブルでは、患者ＩＤと患者情報が対応付けられ、検査ＩＤと受付番号及び医師名が対応付けられ、撮影ＩＤと撮影情報及び画像データが対応付けられている。患者情報の識別情報として患者ＩＤを用いる場合、放射線撮影装置１は、記憶部２２のテーブルを参照し、患者名などの患者情報を特定する。また、検査オーダ、撮影情報、及び情報についても同様に、放射線撮影装置１は、識別情報を基に記憶部２２のテーブルを参照し、各種情報を特定してもよい。
【００７７】
記憶部２２は、検出装置７から出力される放射線画像と検査生成部２３で生成される検査情報とを記憶する（ステップＳ３０７）。
【００７８】
このように、放射線撮影装置が検出装置に関連情報を送信し、検出装置が画像データに関連情報を付帯することにより、放射線撮影装置は、付帯された関連情報に基づいて、放射線画像と検査オーダとを関連付けることで、検査情報を生成する。この結果、放射線撮影装置が放射線画像の取得を詳細に制御することができる。
【００７９】
以上、本発明に係る実施形態について説明したが、本発明はこれらに限定されるものではなく、請求項に記載された範囲内において変更・変形することが可能である。
【００８０】
本発明は、上記の実施形態の機能を実現するソフトウェア（プログラム）をネットワーク又は各種記憶媒体を介してシステム又は装置に供給し、システム又は装置のコンピュータ（ＣＰＵやＭＰＵなど）がプログラムを読み出すことにより実行されてもよい。また、本発明は、システム又は装置のコンピュータにおける１つ以上のプロセッサーがプログラムを読出し実行する処理でも実現可能であり、１以上の機能を実現する回路（例えば、ＡＳＩＣ）によっても実現可能である。
【符号の説明】
【００８１】
１  放射線撮影装置
２  表示部
３  操作部
４  放射線発生装置
５  制御部
７  検出装置
８  放射線発生部
１１  ＨＩＳ
１２  ＲＩＳ
１３  ＰＡＣＳ
１４  プリンタ
１５  ネットワーク
１６  撮影台
２０  通信部
２１  管理部
２２  記憶部
２３  検査生成部
２８  入力部
２９  指定部
３０  接続検知部
３１  情報取得部
３２  情報送信部
３３  転送要求部
３４  画像取得部
【図１】
2018075194.tif 000003
【図２】
2018075194.tif 000004
【図３】
2018075194.tif 000005
【図４】
2018075194.tif 000006
【図５Ａ】
2018075194.tif 000007
【図５Ｂ】
2018075194.tif 000008
【図６】
2018075194.tif 000009
【図７】
2018075194.tif 000010
【図８】
2018075194.tif 000011